(57)【要約】【課題】本考案は、誰もが容易に着用することができるとともに、洋装風としてもよく、かつ必要な時に従来の袴の着装に戻ることができる袴を提供することを課題とする。【解決手段】後見頃のウエスト部分９の脇の開き部分の内側に第１のボタン７−１を有するとともに、前見頃のウエスト部分１０の脇の開き部分に第１のボタン７−１が着脱可能な第１のボタンホール８−１を有する袴本体と、第１のボタン７−１が着脱可能な第２のボタンホール８−２を端部に有する後見頃用紐６と、第１のボタンホール８−１に着脱可能な第２のボタン７−２を端部に有する前見頃用紐５とを備えた袴である。  第１のボタンは、ウエスト方向に一列に２個、第２のボタンは、紐の長手方向に一列に２個それぞれ配置されており、また第１のボタンホールは、ウエスト方向に一列に２個所、第２のボタンホールは、紐の長手方向に一列に２個所それぞれ配置されている。【選択図】    図１
0003219717.tif 000002
【実用新案登録請求の範囲】
【請求項１】
後見頃のウエスト部分の脇の開き部分の内側に第１のボタンを有するとともに、前見頃のウエスト部分の脇の開き部分に該第１のボタンが着脱可能な第１のボタンホールを有する袴本体と、該第１のボタンが着脱可能な第２のボタンホールを端部に有する後見頃用紐と、該第１のボタンホールに着脱可能な第２のボタンを端部に有する前見頃用紐とを備えた袴。
【請求項２】
上記第１のボタンは、ウエスト方向に一列に２個、上記第２のボタンは、紐の長手方向に一列に２個それぞれ配置されており、また上記第１のボタンホールは、ウエスト方向に一列に２個所、上記第２のボタンホールは、紐の長手方向に２個所それぞれ配置されていることを特徴とする請求項１に記載の袴。
【請求項３】
上記後見頃のウエスト部分及び上記前見頃のウエスト部分には、ベルトループが設けられていることを特徴とする請求項１又は請求項２に記載の袴。
【考案の詳細な説明】
【技術分野】
【０００１】
本考案は、袴に関する。
【背景技術】
【０００２】
従来の袴１２の模式図を図４に示す。図４において、（ａ）図は、袴の正面模式図であり、（ｂ）図は、袴の後面模式図である。
従来の袴は、前身頃１３及び後身頃１４を別々に前見頃用紐１５及び後見頃用紐１６で体に巻き付ける形式のため、着用に時間がかかり、日常に着用するには煩雑な段取りが必要であった。
【０００３】
このような背景から、誰もが容易に着用することができる袴を実現するために、これまでに多数の提案がなされてきた。
例えば、前紐を前ベルトに付け、後ベルトと背板の間に通すことにより袴の前紐のみで着付けることができるようにしたもの（特許文献１参照）、前紐を１０ｃｍ前後に短くし長さを調節する金具と止具の付いた幅広いゴムを紐の先に縫い付け、袴を着用する時は、前紐に縫い付けた止め具を結んで留めておくもの（特許文献２参照）等が提案されてきた。
【０００４】
また、前身頃と、前身頃とそれぞれの側辺の一方が逢着されていると共に、それぞれの側辺の他方が全長にわたり設けられた線ファスナーで閉じ合わされることにより、前身頃と共に筒状となる後身頃と、前身頃の上部の裏面に、左右に延びるように取り付けられており、長手方向の一辺に沿って前身頃の上端より１ｃｍ〜３ｃｍ露出していると共に、両端部が着脱自在に係合する帯体と、後身頃の上端に、左右に延びるように取り付けられている後紐と、後身頃の上部の裏面に取り付けられて後身頃に膨らみを与える模擬帯結び体とを備え、身体が不自由な人も含め、誰もが容易に着用することができる袴（特許文献３参照）も提案されている。
【０００５】
他方、誰もが容易に着用することができるように紐無しにして、ズボンのような形式で前開きベルトにすることも考えられるが、和装でよく見られる動作や力を入れる所作をする場合に力が入りにくく、また着物の上に着用した場合に和服の雰囲気が損われてしまうという難点がある。
【先行技術文献】
【特許文献】
【０００６】
【特許文献１】実用新案登録第３０５７２０９号公報
【特許文献２】実用新案登録第３０７５０５２号公報
【特許文献３】特開２０１７−２１４６８４号公報
【考案の概要】
【考案が解決しようとする課題】
【０００７】
本考案は、誰もが容易に着用することができるとともに、洋装風としてもよく、かつ必要な時に従来の着装に戻ることができる袴を提供することを課題とする。
【課題を解決するための手段】
【０００８】
本考案の上記課題を解決するための手段は、次のとおりである。
（１）後見頃のウエスト部分の脇の開き部分の内側に第１のボタンを有するとともに、前見頃のウエスト部分の脇の開き部分に第１のボタンが着脱可能な第１のボタンホールを有する袴本体と、第１のボタンが着脱可能な第２のボタンホールを端部に有する後見頃用紐と、第１のボタンホールに着脱可能な第２のボタンを端部に有する前見頃用紐とを備えた袴。
（２）上記第１のボタンは、ウエスト方向に一列に２個、上記第２のボタンは、紐の長手方向に一列に２個それぞれ配置されており、また上記第１のボタンホールは、ウエスト方向に一列に２個所、上記第２のボタンホールは、紐の長手方向に２個所それぞれ配置されていることを特徴とする上記（１）に記載の袴。
（３）上記後見頃のウエスト部分及び上記前見頃のウエスト部分には、ベルトループが設けられていることを特徴とする上記（１）又は（２）に記載の袴。
【考案の効果】
【０００９】
本考案に係る袴によれば、次のような効果が得られる。
（１）長時間の外出時などでは紐無しにして、和服のイメージを壊さずに袴の動き易さを備えた装いとして気楽に外出できるようになる。
（２）そのまま改まった場所に行く場合は、着替えずに、付属の付け紐（前見頃用紐と後見頃用紐）を持って行きボタンで付け紐を留めるだけで、従来の着装に戻ることができる。
（３）付け紐を使用しないで袴を装着し、ベルトループにベルトを通すことにより、洋装風に着こなすことができる。
【図面の簡単な説明】
【００１０】
【図１】本考案に係る袴の右側面模式図である。
【図２】前見頃用紐及び後見頃用紐を付けない本考案に係る袴の装着状態を示す右側面模式図である。
【図３】前見頃用紐及び後見頃用紐を付けた本考案に係る袴の装着状態を示す右側面模式図である。
【図４】従来の袴の模式図である。
【考案を実施するための形態】
【００１１】
（本考案に係る袴）
本考案に係る袴の袴本体は、後見頃のウエスト部分の脇の開き部分の内側に第１のボタンを有するとともに、前見頃のウエスト部分の脇の開き部分に第１のボタンが着脱可能な第１のボタンホールを有している。
【００１２】
さらに、本考案に係る袴は、第１のボタンが着脱可能な第２のボタンホールを端部に有する後見頃用紐と、前見頃の脇の第１のボタンホールに着脱可能な第２のボタンを端部に有する前見頃用紐とを備えている。
【００１３】
（実施例）
本考案に係る袴についての一実施例を、図１ないし図３を引用して以下詳細に説明する。
図１は、本考案に係る袴の右側面模式図である。また、図２は、前見頃用紐及び後見頃用紐を付けない本考案に係る袴の装着状態を示す右側面模式図であり、図３は、前見頃用紐及び後見頃用紐を付けた本考案に係る袴の装着状態を示す右側面模式図である。
【００１４】
袴本体２は、後見頃４のウエスト部分の脇の開き部分の内側に第１のボタン７−１を有するとともに、前見頃３のウエスト部分の脇の開き部分に第１のボタン７−１が着脱可能な第１のボタンホール８−１を有している。
図１ないし図３は、袴の右側面を図示するものであるが、図示していない袴の左側面もこれと対称の構成となっている。
【００１５】
後見頃用紐６の端部には、第１のボタン７−１が着脱可能な第２のボタンホール８−２を空けてある。また、前見頃用紐の端部５には、前見頃の脇の第１のボタンホール８−１に着脱可能な第２のボタン７−２を付けておく。
袴の装着の際には、前見頃用紐５と後見頃用紐６は、前見頃及び後見頃についてそれぞれ２本ずつ用意する必要がある。
【００１６】
本考案に係る袴において、第１のボタン７−１及び第２のボタン７−２は、それぞれをボタンホールに固定するために、少なくとも１個あればよい。
実施例では、第１のボタン７−１は、後見頃のウエスト部分のウエスト方向に一列に２個、第２のボタン７−２は、前見頃用紐５の端部において、紐の長手方向に一列に２個付けている。これによれば、紐はしっかりと取り付けることができる。また、引っ張ったときも安定感がある。
【００１７】
図２に示すように、前見頃用紐５及び後見頃用紐６を袴本体２から外して、第１のボタン７−１を第１のボタンホール８−１にはめることにより、袴本体２を洋装のズボンとして使用することができる。図２では外から見えないが、後見頃４のウエスト部分の脇の開き部分の内側に付けた第１のボタン７−１が、第１のボタンホール８−１に留まっている。
【００１８】
この実施例では、第１のボタン７−１がウエスト方向に２個取り付けられているため、例えば食事の前後でウエスト調整が可能である。すなわち、ボタンとボタンホールの組み合わせで、一番狭いとき、その次に右だけ緩るく、さらにその次に左も緩るくと、３段階のウエストサイズが選択できる。
【００１９】
（ベルトループ）
さらに、本考案に係る袴１の袴本体２をズボンとして使用する時には、ウエスト部分９、１０には必要に応じてベルトループ１１を設けておいてもよい。ベルトループにベルトを通して上から締めることにより、袴本体はさらに安定して着用することができる。
【００２０】
以上、本考案に係る袴について、実施例を例示して説明したが、この実施例は本考案の技術的範囲を限定するものではなく、実用新案登録請求の範囲に記載された本考案の要旨を逸脱しない範囲内で各種の変更や修正を加えることができることは言うまでもないことである。
【符号の説明】
【００２１】
１  袴
２  袴本体
３  前見頃
４  後見頃
５  前見頃用紐
６  後見頃用紐
７−１  第１のボタン
７−２  第２のボタン
８−１  第１のボタンホール
８−２  第２のボタンホール
９  後見頃のウエスト部分
１０  前見頃のウエスト部分
１１  ベルトループ
１２  従来の袴
１３  従来の袴の前見頃
１４  従来の袴の後見頃
１５  従来の袴の前見頃用紐
１６  従来の袴の後見頃用紐
【図１】
0003219717.tif 000003
【図２】
0003219717.tif 000004
【図３】
0003219717.tif 000005
【図４】
0003219717.tif 000006